(57)【要約】【課題】クロック制御の高度化や回路構成の複雑化を抑制して、スキャンクロック信号の停止時に処理を行う。【解決手段】画像形成装置１００は画像読取部１０とシステムクロック生成部５１とクロック選択回路５２と画像処理回路５４とＣＰＵ６１とを備える。画像読取部１０は、スキャンモードではライン画像データをスキャンクロック信号に同期して読み取る。システムクロック生成部５１はシステムクロック信号を生成する。クロック選択回路５２は、画像読取部１０がスキャンクロック信号を出力する間に、当該スキャンクロック信号に基づく選択クロック信号を出力し、画像読取部１０がスキャンクロック信号の出力を停止する間に、システムクロック信号に基づく選択クロック信号を出力する。画像処理回路５４は、選択クロック信号に同期してライン画像データに対して画像処理を施す。ＣＰＵ６１は、システムクロック信号に同期して画像形成処理を行う。【選択図】図１
2009253942.tif 000002
【特許請求の範囲】
【請求項１】
スキャン時には、内部で生成するスキャンクロック信号に同期して読み取った原稿面についてのライン画像データを前記スキャンクロック信号とともに出力し、待機時には、前記ライン画像データと前記スキャンクロック信号との出力を停止する画像読取部を備える画像形成装置であって、
前記スキャンクロック信号と非同期なシステムクロック信号を生成するシステムクロック生成部と、
前記画像読取部が前記スキャンクロック信号を出力する間に、当該スキャンクロック信号に基づく選択クロック信号を出力し、前記画像読取部が前記スキャンクロック信号の出力を停止する間に、前記システムクロック信号に基づく選択クロック信号を出力するクロック選択部と、
前記クロック選択部が出力する前記選択クロック信号に同期して、前記画像読取部が出力する前記ライン画像データに対して画像処理を施す画像処理部と、
前記システムクロック生成部が出力する前記システムクロック信号に同期して、前記画像処理部が出力する前記ライン画像データを用いて画像形成処理を行う画像形成制御部と、を備える画像形成装置。
【請求項２】
前記システムクロック信号に基づく選択クロック信号は、前記スキャンクロック信号に基づく選択クロック信号よりも高い周波数のクロック信号である請求項１に記載の画像形成装置。
【請求項３】
前記画像処理部は、前記システムクロック信号に基づく前記選択クロック信号が前記クロック選択部から出力されたときに、前記ライン画像データに対する画像処理を開始する、請求項１または２に記載の画像形成装置。
【発明の詳細な説明】
【技術分野】
【０００１】
本発明は、複写機やファクシミリ装置などの画像形成装置であって、原稿のライン画像をスキャンする画像読取部を備える画像形成装置に関する。
【背景技術】
【０００２】
画像読取部を備える画像形成装置では、装置のシステムクロック信号と非同期なスキャンクロック信号に基づくタイミングで、画像読取部からライン画像データが出力されることがある。この場合、画像読取部はライン画像データとともにスキャンクロック信号を出力し、画像形成装置の本体側では、供給されるスキャンクロック信号に同期してライン画像データをサンプリングする。これにより、システムクロック信号と非同期なタイミングで出力されたライン画像データであっても取り扱えるように画像形成装置は構成される。
【０００３】
非同期なクロック信号に基づいてデータ処理を行う非同期データ処理回路として、クロック制御回路とクロック選択回路とアドレス回路と記憶回路とデータ処理回路（修正回路）とを備えるものがある（例えば、特許文献１参照。）。クロック制御回路はアドレス回路とクロック選択回路を制御し、データの読み出しや書き込みを切り替える。クロック選択回路は、内部クロック信号と選択内部クロック信号とを選択的に出力する。選択内部クロック信号は外部クロック信号の立ち上がりに対応するタイミングで出力される内部クロックの単パルス信号である。
【０００４】
この回路に対して外部回路からデータが入力されると、まずクロック制御回路からの制御により、アドレス回路が選択内部クロック信号に同期してデータをサンプリングして記憶回路に記憶する。次に、クロック制御回路からの制御により、アドレス回路が内部クロック信号に同期して記憶回路からデータを読み出し、修正回路にて誤り訂正などのデータ処理を施した後、再度、データを記憶回路に記憶する。次に、クロック制御回路からの制御により、アドレス回路が選択内部クロック信号に同期して記憶回路からデータを読み出し、データを出力する。
【特許文献１】特開昭６２−２５２２３６号公報
【発明の開示】
【発明が解決しようとする課題】
【０００５】
画像読取部を備える画像形成装置は、原稿面の全面についてのライン画像のスキャン完了後に画像読取部をスタンバイモードにし、スキャンクロック信号の出力を含む画像読取部の動作を停止することで、ノイズを抑制し消費電力を低減できる。
【０００６】
しかしながら、画像読取部がスタンバイモードとなると、画像形成装置の本体側へのスキャンクロック信号の供給が停止されてしまう。従来の非同期データ処理回路は、外部クロック信号の供給が停止されることを想定したものではないため、画像形成装置に採用した場合、画像読取部がスタンバイモードになると画像形成装置の本体側での選択内部クロック信号の生成ができなくなる。このため、記憶回路からのデータ読み取りができなくなり、画像形成装置の本体側での処理が完遂できない問題がある。
【０００７】
また、非同期データ処理回路では、クロック選択をクロック制御回路によって指示するため、クロック選択の指示を適切なタイミングで行う必要があった。このため、クロック制御回路におけるクロック制御の高度化や回路構成の複雑化を招来し易く、コストアップの要因となっていた。仮に、画像読取部がスタンバイモードのときであっても記憶回路からのデータ読取を可能にしようとするならば、例えば、クロック制御回路にて外部クロック信号の有無を検出してクロック信号を変更することが考えられるが、クロック制御回路におけるクロック制御のさらなる高度化とさらなる回路構成の複雑化を招来してしまう。
【０００８】
本発明は、クロック制御の高度化や回路構成の複雑化を招来することなく、外部クロック信号の停止時に画像処理を行える画像形成装置を提供することを目的とする。
【課題を解決するための手段】
【０００９】
本発明は画像読取部を備える画像形成装置であって、システムクロック生成部とクロック選択部と画像処理部と画像形成制御部とを備える。
【００１０】
画像読取部は、スキャン時に原稿面についてのライン画像データを、内部で生成するスキャンクロック信号に同期して読み取ってライン画像データをスキャンクロック信号とともに出力し、待機時にライン画像データとスキャンクロック信号との出力を停止する。システムクロック生成部は、スキャンクロック信号と非同期なシステムクロック信号を生成する。クロック選択部は、画像読取部がスキャンクロック信号を出力する間に、当該スキャンクロック信号に基づく選択クロック信号を出力し、画像読取部がスキャンクロック信号の出力を停止する間に、システムクロック信号に基づく選択クロック信号を出力する。画像処理部は、選択クロック信号に同期してライン画像データに対して画像処理を施す。画像形成制御部は、システムクロック生成部が出力するシステムクロック信号に同期して、画像処理部が出力するライン画像データを用いて画像形成処理を行う。
【００１１】
この構成により、画像処理部には常にスキャンクロック信号またはシステムクロック信号に基づく選択クロック信号が供給されるので、何時でも選択クロック信号に同期して画像処理を行える。選択クロック信号のクロック周波数が、画像読取部がスタンバイモードになることで変更されることになるが、画像処理部はクロック周波数の変更に関わらず画像処理を行う。また、画像形成制御部には常にシステムクロック信号が供給されるので、システムクロック信号に同期して画像形成処理を行う。
【００１２】
システムクロック信号に基づく選択クロック信号が、スキャンクロック信号に基づく選択クロック信号よりも高い周波数のクロック信号であってもよい。この場合、スキャンクロック信号の供給が停止した後に、高速に画像処理や画像形成処理できる。
【００１３】
画像処理部は、システムクロック信号が信号選択部から出力されたときに、画像データに対する画像処理を開始するようにしてもよい。このようにすれば、中央演算回路などからなる制御部にて、画像処理部への制御コマンドを出力する制御や回路構成が必要なくなる。
【発明の効果】
【００１４】
本発明の画像形成装置によれば、画像読取部をスタンバイモードで動作させてスキャンクロック信号の供給を停止している間にも画像処理部や画像形成制御部での処理を行え、省電力化やノイズの低減を図ることができる。また、クロック選択部で自動的に選択クロック信号を切り替えるため、制御部などによるクロック制御や外部クロック信号の検出を行う必要がなく、クロック制御の高度化や回路構成の複雑化を招来することが無い。
【発明を実施するための最良の形態】
【００１５】
図１は、本発明の実施形態である画像形成装置１００の概略のブロック図である。
【００１６】
画像形成装置１００はディジタル複合機であり、画像読取部１０、および、画像形成部５０を備える。画像読取部１０はスキャンクロック信号に同期して原稿面にて原稿読み取りラインを移動しながらライン画像データを取得する。画像形成部５０は、画像読取部１０が出力する画像に画像処理を施す。具体的には、記録紙に印字する印字処理や、ネットワークを介して接続されるＰＣなど外部装置へ画像データを送信するデータ送信処理、ＨＤＤなど大容量記憶媒体への画像データのデータ記憶処理などを行う。
【００１７】
画像読取部１０は、自動搬送部１８、読取部１６、Ａ／Ｄ変換部１４、基準クロック生成部１５、インターフェース部（Ｉ／Ｆ部）２２、サブコントローラ１２、およびコントローラ２０を備え、各部をバスライン１１に接続して成る。
【００１８】
コントローラ２０は、画像読取部１０の各部の動作を統括的に制御し、スキャンモードとスタンバイモードとの切り替えを行う。スキャンモードでは、原稿面の全面についてのライン画像のスキャンを行う。スタンバイモードは、スキャンモードの完了後に設定され、スキャンクロック信号の出力を含む画像読取部の動作を停止することで、ノイズを抑制し消費電力を低減する。
【００１９】
基準クロック生成部１５は、スキャンモードではオシレータの発振に基づいて、画像読取部１０に特有のクロック周波数の基準クロック信号を生成して出力する。また、スタンバイモードでは基準クロック信号の生成と出力を停止する。自動搬送部１８は、スキャンモードでは原稿を自動的に読取部１６に搬送し、スタンバイモードでは動作を停止する。サブコントローラ１２は、ＡＳＩＣ（Ａｐｐｌｉｃａｔｉｏｎ  Ｓｐｅｃｉｆｉｃ  Ｃｉｒｃｕｉｔ）によって構成されている。サブコントローラ１２は、スキャンモードでは基準クロック信号を基にスキャンクロック信号を生成して読取部１６とＡ／Ｄ変換部１４とＩ／Ｆ部２２とに出力し、スタンバイモードではスキャンクロック信号の生成と出力を停止する。読取部１６は、スキャンモードではスキャンクロック信号に同期したスキャンタイミングで原稿読み取りラインを移動しながらライン画像の画像データを取得する。また、スタンバイモードでは動作を停止する。Ａ／Ｄ変換部１４は、スキャンモードでは読取部１６から供給される画像データをアナログからディジタルに変換して出力し、スタンバイモードでは動作を停止する。インターフェース部２２は外部との通信を司り、スキャンモードではＡ／Ｄ変換部１４の出力する画像データと、サブコントローラ１２の出力するスキャンクロック信号とを外部に送信する。また、スタンバイモードでは動作を停止しスキャンクロック信号と画像データの出力を停止する。
【００２０】
このような構成の画像読取部１０により、スキャン動作時には画像データとスキャンクロック信号とが出力され、スタンバイモード時には画像データとスキャンクロック信号との出力が停止する。
【００２１】
次に画像形成部５０の構成を説明する。なお、ここでは画像形成部５０に画像メモリを設けない構成を説明するが、画像形成部５０に画像メモリを設けても良い。
【００２２】
画像形成部５０は、システムクロック生成部５１、分周回路６４、クロック選択回路５２、画像入力制御回路５３、画像処理回路５４、ＰＣＩコントローラ５５、メモリコントローラ５６、ＤＭＡコントローラ５７、ＨＯＳＴインターフェース５８、メモリ６０、およびＣＰＵ６１を備える。画像処理回路５４、ＰＣＩコントローラ５５、メモリコントローラ５６、ＤＭＡコントローラ５７、およびＨＯＳＴインターフェース５８はバスライン６２に接続されている。メモリ６０はメモリコントローラ５６を介してバスライン６２に接続され、ＣＰＵ６１はＨＯＳＴインターフェース５８を介してバスライン６２に接続されている。
【００２３】
画像入力制御回路５３は、クロック選択回路５２から入力される選択クロック信号に基づいて、画像読取部１０から入力される画像データをサンプリングする。画像処理回路５４は、ＡＳＩＣによって構成されていて、クロック選択回路５２から入力される選択クロック信号に同期して動作し、画像入力制御回路５３から入力される画像データに対して、画像補正、画像情報抽出などの画像処理を施す。ＨＯＳＴインターフェース５８は、ＣＰＵ６１からのRead/Writeアクセス指示を受信し、その指示に応じてＣＰＵ６１と各部との間の信号の送受を中継する。ＤＭＡコントローラ５７は、メモリ６０と画像処理回路５４やＰＣＩコントローラ５５との間の信号の送受を中継する。メモリコントローラ５６は、メモリ６０のアドレス回路を含み、メモリ６０と各部との間の信号の送受を中継する。ＰＣＩコントローラ５５は、ＰＣＩバス６３に接続されるＰＣＩ接続機器との信号の送受を中継する。メモリ６０はＳＤＲＡＭなどの記憶装置であり、各種制御プログラムを記憶するとともに、画像処理回路５４で画像処理が施された画像データを一時的に記憶する。ＣＰＵ６１はメモリ６０と協調して画像形成プログラムを含む各種プログラムを実行し、画像形成部５０の各部の動作を統括的に制御する。
【００２４】
システムクロック生成部５１はＰＬＬ回路とオシレータと図示しない分周回路とを備え、画像読取部１０に特有のクロック周波数のシステムクロック信号を生成および出力する。このシステムクロック信号はスキャンクロック信号とは非同期である。システムクロック信号は、分周回路６４、画像処理回路５４、ＰＣＩコントローラ５５、メモリコントローラ５６、ＤＭＡコントローラ５７、およびＨＯＳＴインターフェース５８に入力する。画像処理回路５４、ＰＣＩコントローラ５５、メモリコントローラ５６、ＤＭＡコントローラ５７、およびＨＯＳＴインターフェース５８は、常にシステムクロック信号が供給されていて、システムクロック信号によって他部との信号送受を同期して実行する。したがって、ＰＣＩコントローラ５５、メモリコントローラ５６、ＤＭＡコントローラ５７、ＨＯＳＴインターフェース５８、メモリ６０、およびＣＰＵ６１は、本発明の画像形成制御部を構成する。これにより、画像形成部５０は画像処理回路５４にて画像処理を施した画像データに基づいてシステムクロック信号に同期して画像形成処理や、データ送信処理、データ記憶処理などを実行する。
【００２５】
分周回路６４はシステムクロック信号を分周して、スキャンクロック信号やシステムクロック信号よりも高い周波数の内部クロック信号を生成する。クロック選択回路５２は、分周回路６４が出力した内部クロック信号の供給を受ける。また、画像読取部１０がスキャンモードのときに出力したスキャンクロック信号の供給を受ける。そして、スキャンクロック信号が供給されていれば、そのスキャンクロック信号を選択クロック信号として出力し、スキャンクロック信号の供給が停止していれば、内部クロック信号を選択クロック信号として出力する。
【００２６】
図２は、クロック選択回路５２の回路図である。
【００２７】
クロック選択回路５２は、クロック検知回路７１とセレクタ７２とを備える。クロック検知回路７１とセレクタ７２とは、それぞれ前述の画像読取部１０からのスキャンクロック信号の供給を受ける。セレクタ７２は、分周回路６４からの内部クロック信号の供給も受ける。クロック検知回路７１はスキャンクロック信号のパルス検知を行い、スキャンクロック信号が供給されていてスキャンクロック信号のパルスの検知ができている期間にはクロック検出フラグをＨＩＧＨとする。一方、スキャンクロック信号の供給が停止されていて、そのスキャンクロック信号のパルスの検知が不能な期間にはクロック検出フラグをＬＯＷとする。セレクタ７２は、クロック検出フラグがＨＩＧＨであればスキャンクロック信号を出力し、クロック検出フラグがＬＯＷであれば内部クロック信号を出力する。
【００２８】
これにより、分周回路６４とクロック選択回路５２とは本発明のクロック選択部を構成する。これらは、画像読取部１０からの画像データとスキャンクロック信号との出力が停止している間に、自動的に選択クロック信号をスキャンクロック信号からシステムクロック信号に切り替えて出力する。
【００２９】
画像入力制御回路５３と画像処理回路５４とは本発明の画像処理部を構成し、クロック選択回路５２から画像入力制御回路５３に入力される選択クロック信号に同期して、画像処理を行う。選択クロック信号はスキャンクロック信号または内部クロック信号であるが、画像入力制御回路５３が画像データの供給を受けるのは画像読取部１０がスキャンモードのときであり、そのときの選択クロック信号はスキャンクロック信号であるため、画像入力制御回路５３ではスキャンクロック信号により画像データのサンプリングを行える。
【００３０】
画像処理回路５４に対してクロック選択回路５２から入力される選択クロック信号は、スキャンクロック信号または内部クロック信号であるが、画像処理回路５４はその時々に入力される選択クロック信号に基づいて動作する。これにより、画像処理回路５４では内部クロック信号またはスキャンクロック信号のうちの一方が常に供給されるので、供給されるクロック信号に応じたタイミングで常に画像処理を行える。
【００３１】
画像処理回路５４による画像処理はＣＰＵ６１の指示により開始してもよいが、クロック検出フラグがＬＯＷからＨＩＧＨに変化したときに開始してもよい。クロック検出フラグに応じて自動的に画像処理を行うようにすれば、ＣＰＵなどによる制御をさらに抑制できる。
【００３２】
なお、ＣＰＵ６１が画像処理回路５４のクロック検出フラグを検出するように構成しても良い。その場合、クロック検出フラグのＨＩＧＨ／ＬＯＷの状態によって、画像読取部１０の動作モード、スキャンクロック信号の有無を把握できるので、ＣＰＵ６１はその把握した状態に応じた表示制御などを行うことができる。
【００３３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３４】
【図１】本発明の実施形態に係る画像形成装置の概略のブロック図である。
【図２】同画像形成装置の備えるクロック選択回路の概略のブロック図である。
【符号の説明】
【００３５】
１０…画像読取部
１２…サブコントローラ
１５…基準クロック生成部
１６…読取部
５０…画像形成部
５１…システムクロック生成部
５２…クロック選択回路
５３…画像入力制御回路
５４…画像処理回路
６０…メモリ
６１…ＣＰＵ
７１…クロック検知回路
７２…セレクタ
１００…画像形成装置
【図１】
2009253942.tif 000003
【図２】
2009253942.tif 000004